(57)【要約】【課題】遊技者が遊技球Ｐの挙動を目で追う場合の趣興性を高めること。【解決手段】遊技球Ｐが蓋４２の上昇位置で左誘導板４３に供給された場合には左誘導板４３で跳ねることで左ガイド部材５８に供給され、遊技球Ｐが左ガイド部材５８に供給された場合には左ガイド部材５８に沿って転動することで特別入賞口３１の入口３２に誘導される。このため、遊技球Ｐが特別入賞口３１の入口３２に屈曲した入賞経路で入賞するようになるので、遊技者が遊技球Ｐの挙動を目で追う場合の趣興性が高まる。【選択図】図６
2011245000.tif 000002
【特許請求の範囲】
【請求項１】
遊技球が発射される遊技盤と、
前記遊技盤に設けられ、遊技球が入球可能な入口を有する入球部材と、
下降位置および下降位置に比べて上方の上昇位置相互間で移動可能なものであって、前記入球部材の入口を下降位置で遊技球が入球不能に閉鎖すると共に上昇位置で遊技球が入球可能に開放する蓋部材と、
前記蓋部材を下降位置および上昇位置相互間で移動操作する電気的な駆動源と、
前記遊技盤に設けられ、遊技者側である前から見て前記入球部材の左および右のいずれか一方に前記入球部材に対して離間して配置されていると共に前記蓋部材の下降位置および上昇位置のそれぞれで前記蓋部材に対して離間するように配置されたものであって遊技球を前記入球部材の入口に誘導する誘導部材と、
前記蓋部材に設けられ、遊技者側である前から見て左および右のうち前記一方とは反対の他方から前記一方に向けて下降する傾斜状をなすものであって遊技球を当該傾斜によって前記誘導部材に誘導する傾斜部を備えたことを特徴とするパチンコ遊技機。
【請求項２】
前記遊技盤に設けられ、上端部に入口を有すると共に下端部に出口を有するものであって遊技球が入口から出口に向けて通過する球通路を備え、
前記球通路の出口は、前記蓋部材の上昇位置で遊技球が前記蓋部材の傾斜部に上から下に向けて垂直に落下するように前記蓋部材の傾斜部の真上に配置されていることを特徴とする請求項１に記載のパチンコ遊技機。
【発明の詳細な説明】
【技術分野】
【０００１】
本発明は遊技球が入球不能な閉鎖状態および入球可能な開放状態相互間で切換えられる入球部材を備えたパチンコ遊技機に関する。
【背景技術】
【０００２】
特許文献１には遊技盤に入球部材および蓋部材のそれぞれを装着することが開示されている。入球部材は上面が開口する箱状をなすものであり、遊技盤の前面に対して前方へ突出している。蓋部材は遊技盤の前面に対して前方へ突出した閉鎖位置および閉鎖位置に比べて後方へ退避した開放位置相互間で移動操作されるものであり、入球部材の上面は蓋部材の閉鎖位置で遊技球が入球不能に閉鎖され、蓋部材の開放位置で遊技球が入球可能に開放される。
【先行技術文献】
【特許文献】
【０００３】
【特許文献１】特開２００６−２９６５９４号公報
【発明の概要】
【発明が解決しようとする課題】
【０００４】
上記パチンコ遊技機の場合には蓋部材の開放位置で遊技球が入球部材の真上から垂直に落下することで入球部材の上面に入球する。このため、遊技球が入球部材に入球するときの遊技球の入球経路が単調であり、遊技者が遊技球の挙動を目で追う場合の趣興性に乏しい。
【課題を解決するための手段】
【０００５】
１．請求項１記載のパチンコ遊技機の説明
請求項１記載のパチンコ遊技機は次の［１］遊技盤〜［６］傾斜部を備えたところに特徴を有する。
［１］遊技盤は遊技球が発射されるものである。図３の符号１８は遊技盤に相当し、図６の符号Ｐは遊技球に相当する。
［２］入球部材は遊技盤に設けられたものであり、遊技球が入球可能な入口を有するものである。図５の特別入賞口３１および図８の特別入賞口７１のそれぞれは入球部材に相当し、図５の符号３２および図８の符号７２のそれぞれは入口に相当する。
［３］蓋部材は下降位置および下降位置に比べて上方の上昇位置相互間で移動可能なものであり、入球部材の入口を下降位置で遊技球が入球不能に閉鎖すると共に上昇位置で遊技球が入球可能に開放する。図５の蓋４２は蓋部材に相当する。
［４］駆動源は蓋部材を下降位置および上昇位置相互間で移動操作するものであり、図５の特別入賞口ソレノイド４０は駆動源に相当する。
［５］誘導部材は遊技盤に設けられたものである。この誘導部材は遊技球を入球部材の入口に誘導するものであり、遊技者側である前から見て入球部材の左および右のいずれか一方に入球部材に対して離間して配置されていると共に蓋部材の下降位置および上昇位置のそれぞれで蓋部材に対して離間するように配置されている。図５の左ガイド部材５８と図５の右ガイド部材６２と図１０の左ガイド部材８３と図１０の右ガイド部材８５のそれぞれは誘導部材に相当する。
［６］傾斜部は蓋部材に設けられたものである。この傾斜部は遊技者側である前から見て左および右のうち一方とは反対の他方から一方に向けて下降する傾斜状をなすものであり、遊技球を傾斜によって誘導部材に誘導する。図５の左誘導板４３と図５の右誘導板４４と図１０の左誘導路８１と図１０の右誘導路８２のそれぞれは傾斜部に相当する。
２．請求項２記載のパチンコ遊技機の説明
請求項２記載のパチンコ遊技機は遊技盤に球通路を設けたものである。この球通路は上端部に入口を有すると共に下端部に出口を有するものであり、遊技球が入口から出口に向けて通過する。この球通路の出口は蓋部材の上昇位置で遊技球が蓋部材の傾斜部に上から下に向けて垂直に落下するように蓋部材の傾斜部の真上に配置されている。図６の左球通路４５および右球通路４９のそれぞれは球通路に相当し、図６の符号４６および符号５０のそれぞれは入口に相当し、図６の符号４７および符号５１のそれぞれは出口に相当する。
【発明の効果】
【０００６】
１．請求項１記載のパチンコ遊技機について
遊技球が蓋部材の上昇位置で傾斜部に与えられた場合には傾斜部の傾斜によって誘導部材に与えられ、遊技球が蓋部材の傾斜部から誘導部材に与えられた場合には入球部材の入口に誘導される。このため、遊技球が入球部材の入口に屈曲した入球経路で入球するようになるので、遊技者が遊技球の挙動を目で追う場合の趣興性が高まる。
２．請求項２記載のパチンコ遊技機について
遊技球が球通路の出口から蓋部材の傾斜部に垂直な一定の経路で落下するので、蓋部材の傾斜部および誘導部材のそれぞれの傾斜角度を設計的に調整することで遊技球が球通路の出口から傾斜部および誘導部材を順に経由した場合の遊技球の入球部材に対する入球確率を目標値に正確に設定できる。しかも、遊技者が遊技球を球通路の入口を狙って発射することで入球部材の入口に入球させることができるので、遊技球の入球部材に対する入球経路が屈曲しているにも拘らず遊技者が入球部材の開放状態での遊技球の発射位置を戸惑うことなく調整できる。
【図面の簡単な説明】
【０００７】
【図１】実施例１を示す図（パチンコ遊技機の全体構成を前方から示す図）
【図２】内枠を斜め前方から示す図
【図３】内枠および遊技盤を前方から示す図
【図４】電気的構成を示す図
【図５】特別入賞口を閉鎖状態で示す図
【図６】特別入賞口を開放状態で示す図
【図７】障害釘のレイアウトを示す図５相当図
【図８】実施例２を示す図５相当図
【図９】図６相当図
【図１０】実施例３を示す図５相当図
【図１１】図６相当図
【発明を実施するための形態】
【０００８】
【実施例１】
【０００９】
外枠１は、図１に示すように、複数の木材を前面および後面のそれぞれが開口する四角筒状に接合することから構成されたものであり、外枠１の前方には、図２に示すように、内枠２が上下方向へ指向する軸３を中心に回動可能に装着されている。この内枠２は縦長な四角環状をなすものであり、左板部と右板部と上板部と下板部を有している。この内枠２は外枠１の前端面に前方から接触する閉鎖状態および外枠１の前端面から前方へ離間する開放状態相互間で軸３を中心に回動操作されるものであり、内枠ロック機構を介して閉鎖状態にロックされている。この内枠２の下端部には台板部４が形成されている。この台板部４は垂直な板状をなすものであり、内枠２の下端部を閉鎖している。
【００１０】
内枠２には、図１に示すように、内枠２の前方に位置して前枠５が装着されている。この前枠５は内枠２の前端面に前方から接触する閉鎖状態および内枠２の前端面から前方へ離間する開放状態相互間で内枠２と共通の軸３を中心に回動操作されるものであり、前枠ロック機構を介して閉鎖状態にロックされている。この前枠５には円形状の貫通孔６が形成されており、貫通孔６の内周面には透明な窓７が固定されている。この前枠５には前枠５の前方に位置して上皿８が固定されている。この上皿８は上面が開口する容器状をなすものであり、内枠２の台板部４には、図２に示すように、上皿８の後方に位置して払出口９が形成されている。この払出口９は金属性の遊技球Ｐ（図６参照）を上皿８内に賞品として払出すものであり、払出口９から上皿８内に払出された遊技球Ｐは上皿８内に貯留される。
【００１１】
内枠２には、図１に示すように、上皿８の下方に位置して下皿板１０が固定されており、下皿板１０には下皿１１が固定されている。この下皿１１は上皿８内から溢れた遊技球Ｐを貯留するものであり、上面が開口する容器状をなしている。この下皿板１０には下皿１１の右方に位置してハンドル台１２が固定されており、ハンドル台１２にはハンドル１３が装着されている。このハンドル１３は遊技者が右の手指で操作するものであり、発射停止位置および発射停止位置に比べて時計回り方向の操作限度位置相互間で前後方向へ指向する軸１４を中心に回動可能にされている。
【００１２】
内枠２の台板部４には、図３に示すように、発射ソレノイド１５が固定されており、発射ソレノイド１５の出力軸には打球槌が連結されている。この発射ソレノイド１５は電磁ソレノイドおよびリターンスプリングを内蔵するロータリーソレノイドからなるものであり、打球槌は発射ソレノイド１５が電気的なオフ状態からオン状態になった場合に電磁力で待機位置から打球位置に往動し、発射ソレノイド１５が電気的なオン状態からオフ状態になった場合にリターンスプリングのばね力で打球位置から待機位置に復動する。この発射ソレノイド１５は電源回路に接続されている。この電源回路はハンドル１３の発射停止位置で発射ソレノイド１５に駆動電源を与えないオフ状態になり、ハンドル１３が発射停止位置から時計回り方向に操作されている状態で発射ソレノイド１５にパルス状の駆動電源を一定周期で与えるオン状態になるものであり、電源回路のオン状態では発射ソレノイド１５のオンオフが一定周期で繰返されることで打球槌が待機位置および打球位置相互間で往復動を繰返す。
【００１３】
内枠２の台板部４には、図３に示すように、発射レール１６が固定されている。この発射レール１６は右から左に向けて上昇する傾斜状をなすものであり、発射レール１６の右端部には球止め板１７が固定されている。この球止め板１７には遊技球Ｐが通過不能な大きさの貫通孔が形成されており、打球槌の打球位置では打球槌の一部が球止め板１７の貫通孔を通して発射レール１６上に進入し、打球槌の待機位置では打球槌の一部が発射レール１６上から退避する。この発射レール１６は打球槌が打球位置から待機位置に向けて移動開始することに連動して上皿８内から１個の遊技球Ｐが移送されるものであり、球止め板１７は上皿８内から発射レール１６上に移送された遊技球Ｐが発射レール１６の右端部から転落することを防止し、打球槌は待機位置から打球位置に往動することで球止め板１７が支える遊技球Ｐを球止め板１７の貫通孔を通して右から左に向けて叩くことで同方向へ転動させる。
【００１４】
内枠２には、図３に示すように、台板部４の上方に位置して遊技盤１８が固定されている。この遊技盤１８は垂直な板状をなすものであり、遊技盤１８には内レール１９と外レール２０と球止めゴム２１が固定されている。これら内レール１９と外レール２０と球止めゴム２１のそれぞれは遊技盤１８の前面に対して前方へ突出するものであり、内レール１９は上面が開口する円弧状の金属板から構成され、外レール２０は内レール１９の外周部に配置された円弧状の金属板から構成され、球止めゴム２１は内レール１９の右端部および外レール２０の右端部相互間の隙間を塞ぐゴムから構成されている。これら内レール１９および外レール２０相互間には発射通路２２が形成されている。この発射通路２２は下端部および上端部のそれぞれが開口する円弧状をなすものであり、打球槌が叩いた遊技球Ｐは発射レール１６に沿って転動した後に発射通路２２の下端部を通って発射通路２２内に進入し、発射通路２２に沿って円弧状の軌跡を描きながら上昇する。
【００１５】
遊技盤１８には、図３に示すように、発射通路２２の右方に位置して遊技領域２３が形成されている。この遊技領域２３は内レール１９と外レール２０と球止めゴム２１で囲まれた領域のうち発射通路２２を除く残りの円形状の領域を称するものであり、打球槌が叩いた遊技球Ｐは発射通路２２の上端部から遊技領域２３内に放出される。遊技盤１８には、図５に示すように、遊技領域２３内に位置して複数の障害釘２４が固定されている。これら複数の障害釘２４のそれぞれは遊技盤１８の前面に対して前方へ突出するものであり、遊技領域２３内に放出された遊技球Ｐは障害釘２４に当りながら遊技領域２３内を落下する。この遊技領域２３は前枠５の閉鎖状態で前枠５の窓７が前方から対向するものであり、前枠５の閉鎖状態で前方から窓７を通して視覚的に認識可能にされている。
【００１６】
遊技盤１８には、図３に示すように、遊技領域２３内に位置して始動口２５が固定されている。この始動口２５は上面が開口するポケット状をなすものであり、遊技盤１８の前面に対して前方へ突出している。この始動口２５は遊技球Ｐが上面を通して入賞可能にされたものであり、始動口２５内には始動口センサ２６（図４参照）が固定されている。この始動口センサ２６は近接スイッチからなるものであり、遊技球Ｐが始動口２５内に入賞した場合には始動口センサ２６が遊技球Ｐを検出することで始動信号を出力する。
【００１７】
始動口センサ２６は、図４に示すように、メイン制御回路２７に電気的に接続されている。このメイン制御回路２７はマイクロコンピュータを主体に構成されたものであり、ＣＰＵとＲＯＭとＲＡＭを有している。このメイン制御回路２７は始動口センサ２６から始動信号が出力されているか否かを判断するものであり、始動口センサ２６から始動信号が出力されていると判断した場合には大当りカウンタの値の更新結果を検出する。この大当りカウンタの値は一定時間（４ｍｓｅｃ）が経過する毎にメイン制御回路２７が一定値（１）だけ更新するものであり、大当りカウンタの値は予め決められた下限値（０）を基準に予め決められた上限値（１００）まで加算された後に下限値に戻して循環的に加算される。このメイン制御回路２７は大当りカウンタの値を検出した場合に大当りカウンタの値の検出結果を予め決められた大当り値（７）と比較するものであり、大当りカウンタの値の検出結果が大当り値と同一であると判断した場合には大当りであると判定し、大当りカウンタの値の検出結果が大当り値と相違していると判断した場合には外れであると判定する。
【００１８】
遊技盤１８には、図３に示すように、遊技領域２３内に位置して装飾枠２８が固定されている。この装飾枠２８は始動口２５に比べて高所に配置されたものであり、装飾枠２８には図柄表示器２９が固定されている。この図柄表示器２９はカラー液晶表示器からなるものであり、図柄表示器２９の表示内容は前枠５の閉鎖状態で前方から前枠５の窓７を通して視覚的に認識可能にされている。この図柄表示器２９は遊技盤１８の前面に対して後方に配置されたものであり、表示制御回路３０（図４参照）に電気的に接続されている。この表示制御回路３０はマイクロコンピュータを主体に構成されたものであり、メイン制御回路２７は大当りであると判定した場合に表示制御回路３０に大当りコマンドを送信し、外れであると判定した場合に表示制御回路３０に外れコマンドを送信する。この表示制御回路３０はメイン制御回路２７から大当りコマンドおよび外れコマンドのそれぞれが送信されたか否かを判断するものであり、メイン制御回路２７から大当りコマンドが送信されたと判断した場合には装飾図柄を大当りの組合せに設定し、メイン制御回路２７から外れコマンドが送信されたと判断した場合には装飾図柄を外れの組合せに設定する。この装飾図柄は左列の図柄要素と中列の図柄要素と右列の図柄要素の組合せからなるものであり、大当りの組合せとは左列の図柄要素〜右列の図柄要素のそれぞれが相互に同一な組合せを称し、外れの組合せとは左列の図柄要素〜右列の図柄要素のそれぞれが相互に同一でない組合せを称する。
【００１９】
表示制御回路３０は装飾図柄の組合せを設定した場合に図柄遊技の映像を図柄表示器２９に表示するものである。この図柄遊技の映像は図柄表示器２９に左列の図柄要素と中列の図柄要素と右列の図柄要素のそれぞれを可変状態および可変停止状態で順に表示するものであり、左列の図柄要素〜右列の図柄要素のそれぞれの可変表示は８種類の図柄要素「１」〜「８」を予め決められた順序「１」→「２」→「３」→「４」→「５」→「６」→「７」→「８」→「１」・・・で循環的に変化させることで行われ、左列の図柄要素〜右列の図柄要素のそれぞれの停止表示は図柄要素を「１」〜「８」の８種類のいずれか１つで停止させることで行われる。この図柄遊技の映像は大当りであるか否かの判定結果を遊技者に報知するためのものであり、表示制御回路３０は装飾図柄を外れの組合せに設定した場合には装飾図柄が外れの組合せとなるように左列の図柄要素と中列の図柄要素と右列の図柄要素のそれぞれを設定結果で停止表示し、装飾図柄を大当りの組合せに設定した場合には装飾図柄が大当りの組合せとなるように左列の図柄要素と中列の図柄要素と右列の図柄要素のそれぞれを設定結果で停止表示する。
【００２０】
遊技盤１８には、図５に示すように、特別入賞口３１が固定されている。この特別入賞口３１は上面が開口する箱状をなすものであり、左板と右板と前板と後板と底板を有している。この特別入賞口３１は遊技盤１８の前面に対して前方へ突出するものであり、始動口２５の真下に配置されている。この特別入賞口３１は上面を通して遊技球Ｐが入賞可能なものであり、特別入賞口３１の上面を入口３２と称する。この特別入賞口３１の底板には左傾斜面３３および右傾斜面３４が形成されている。左傾斜面３３は左から右に向けて下降傾斜するものであり、右傾斜面３４は右から左に向けて下降傾斜するものであり、左傾斜面３３および右傾斜面３４は特別入賞口３１の底板の左右方向の中央部で相互に交差している。
【００２１】
特別入賞口３１の後板には、図５に示すように、貫通孔状の出口３５が形成されている。この出口３５は左傾斜面３３および右傾斜面３４相互間の交差部分に位置するものであり、特別入賞口３１内に入賞した遊技球Ｐは左傾斜面３３に沿って左から右へ転動または右傾斜面３４に沿って右から左へ転動した後に出口３５から排出される。この出口３５には排出通路の前端部が接続されている。この排出通路の後端部は遊技盤１８を厚さ方向に貫通して遊技盤１８の後方に突出しており、遊技球Ｐは出口３５から排出通路を通して遊技盤１８の後方に排出される。この排出通路は遊技球を左右方向に一列に排出するものであり、排出通路内には特別入賞口センサ３６（図４参照）が固定されている。この特別入賞口センサ３６は近接スイッチからなるものであり、特別入賞口３１内に遊技球Ｐが入賞した場合には特別入賞口センサ３６が排出通路内で遊技球Ｐを検出して特別入賞信号を出力する。
【００２２】
遊技盤１８には、図５に示すように、２本のスリット３７が形成されている。これら両スリット３７のそれぞれは上下方向へ指向する直線状の貫通孔からなるものであり、両スリット３７のそれぞれの左右方向の幅寸法は遊技領域２３内の遊技球Ｐがスリット３７内に進入しないように遊技球Ｐの直径寸法に比べて小さく設定されている。これら両スリット３７のそれぞれは相互に平行なものであり、両スリット３７内のそれぞれには円柱状のピン３８が挿入されている。これら両ピン３８のそれぞれは前後方向へ指向するものであり、両ピン３８のそれぞれの前端部は遊技盤１８の前面に対して前方へ突出し、両ピン３８のそれぞれの後端部は遊技盤１８の後面に対して後方へ突出している。これら両ピン３８のそれぞれの後端部には操作プレート３９が固定されている。この操作プレート３９は遊技盤１８の後方に前方から視覚的に認識不能に配置されたものであり、両ピン３８相互間は操作プレート３９を介して連結されている。
【００２３】
遊技盤１８の後方には、図５に示すように、特別入賞口ソレノイド４０が固定されている。この特別入賞口ソレノイド４０はリターンスプリングを内蔵する電磁ソレノイドからなるものであり、上下方向へ指向するプランジャ４１を有している。このプランジャ４１は下降位置および下降位置に比べて上方の上昇位置相互間で移動可能にされたものであり、特別入賞口ソレノイド４０の電気的なオフ状態ではリターンスプリングのばね力で下降位置に静止する。このプランジャ４１は特別入賞口ソレノイド４０が電気的なオフ状態からオン状態に切換えられた場合に電磁力で下降位置から上昇位置に往動するものであり、特別入賞口ソレノイド４０が電気的なオン状態からオフ状態に切換えられた場合にはリターンスプリングのばね力で上昇位置から下降位置に復動する。
【００２４】
特別入賞口ソレノイド４０のプランジャ４１には、図５に示すように、操作プレート３９が連結されている。この操作プレート３９は両ピン３８のそれぞれを特別入賞口ソレノイド４０のプランジャ４１の動きに応じて移動操作するものであり、両ピン３８のそれぞれは特別入賞口ソレノイド４０が電気的なオフ状態からオン状態に切換えられた場合にスリット３７の内面に沿って下降位置から上昇位置へ移動し、特別入賞口ソレノイド４０が電気的なオン状態からオフ状態に切換えられた場合にはスリット３７の内面に沿って上昇位置から下降位置へ移動する。
【００２５】
両ピン３８のそれぞれの前端部には、図５に示すように、蓋４２が固定されている。この蓋４２は遊技盤１８の前面に対して前方へ突出するものであり、特別入賞口ソレノイド４０の電気的なオフ状態で下降位置に静止する。この蓋４２は下降位置で特別入賞口３１の入口３２を上方から遊技球Ｐが入賞不能に閉鎖するものであり（図５参照）、特別入賞口ソレノイド４０の電気的なオン状態では蓋４２が上昇位置へ移動することで特別入賞口３１の入口３２を遊技球Ｐが入賞可能に開放する（図６参照）。即ち、蓋４２は下降位置および上昇位置相互間で上下方向へ直線的に移動可能にされたものであり、特別入賞口３１の入口３２は蓋４２が上下方向へ移動することに応じて開放状態および閉鎖状態相互間で切換えられる。
【００２６】
蓋４２の左端部には、図５に示すように、右から左へ向けて下降傾斜する傾斜状の左誘導板４３が固定されている。この左誘導板４３は遊技球Ｐに比べて硬質な金属を材料とするものであり、遊技球Ｐが左誘導板４３に落下した場合には左誘導板４３の傾斜に沿って跳ねる。蓋４２の右端部には左から右へ向けて下降傾斜する傾斜状の右誘導板４４が固定されている。この右誘導板４４は遊技球Ｐに比べて硬質な金属を材料とするものであり、遊技球Ｐが右誘導板４４に落下した場合には右誘導板４４の傾斜に沿って跳ねる。
【００２７】
遊技盤１８には、図７に示すように、左球通路４５が形成されている。この左球通路４５は複数の障害釘２４を左右方向に２列に配列することから構成されたものであり、左球通路４５の上端部には入口４６が形成されている。この入口４６は左右方向の幅寸法が遊技球Ｐの直径寸法の２倍以上の値に設定されたものであり、遊技球Ｐは左球通路４５内に入口４６から進入する。この左球通路４５には下端部に位置して出口４７が形成され、出口４７より上方に位置して連絡口４８が形成されており、出口４７および連絡口４８のそれぞれの幅寸法は１個の遊技球Ｐが通過可能な大きさに設定されている。この出口４７は真下に向けて開口するものであり、連絡口４８は右に向けて開口するものであり、左球通路４５内に進入した遊技球は出口４７および連絡口４８のいずれかから脱出する。この出口４７は蓋４２の左誘導板４３の真上に配置されており、遊技球Ｐが出口４７から脱出した場合には蓋４２の左誘導板４３に落下する。
【００２８】
遊技盤１８には、図７に示すように、右球通路４９が形成されている。この右球通路４９は複数の障害釘２４を左右方向に２列に配列することから構成されたものであり、右球通路４９の上端部には入口５０が形成されている。この入口５０は左右方向の幅寸法が遊技球Ｐの直径寸法の２倍以上の値に設定されたものであり、遊技球Ｐは右球通路４９内に入口５０から進入する。この右球通路４９には下端部に位置して出口５１が形成され、出口５１より上方に位置して連絡口５２が形成されており、出口５１および連絡口５２のそれぞれの幅寸法は１個の遊技球Ｐが通過可能な大きさに設定されている。この出口５１は真下に向けて開口するものであり、連絡口５２は左に向けて開口するものであり、右球通路４９内に進入した遊技球は出口５１および連絡口５２のいずれかから脱出する。この出口５１は蓋４２の右誘導板４４の真上に配置されており、遊技球Ｐが出口５１から脱出した場合には蓋４２の右誘導板４４に落下する。
【００２９】
蓋４２には、図５に示すように、遊技球Ｐに比べて軟質な合成樹脂製の左転動路５３および右転動路５４が形成されている。これら左転動路５３および右転動路５４のそれぞれは左誘導板４３および右誘導板４４相互間に配置されたものであり、左転動路５３は右から左に向けて左誘導板４３に比べて小さな角度で下降傾斜する傾斜面から構成され、右転動路５４は左から右に向けて右誘導板４４に比べて小さな角度で下降傾斜する傾斜面から構成されている。これら左転動路５３および右転動路５４のそれぞれは蓋４２の左右方向の中央部で相互に交差するものであり、遊技球Ｐが左転動路５３に落下した場合には左転動路５３に沿って右から左へ転動することで左誘導板４３に供給され、遊技球Ｐが右転動路５４に落下した場合には右転動路５４に沿って左から右へ転動することで右誘導板４４に供給される。
【００３０】
遊技盤１８には、図７に示すように、中央球通路５５が形成されている。この中央球通路５５は左球通路４５および右球通路４９相互間の領域内に複数の障害釘２４を固定することから構成されたものであり、左球通路４５の連絡口４８から脱出した遊技球Ｐおよび右球通路４９の連絡口５２から脱出した遊技球Ｐのそれぞれは中央球通路５５内に進入する。この中央球通路５５の上端部には入口５６が形成されている。この入口５６は左右方向の幅寸法が遊技球Ｐの直径寸法の２倍以上の値に設定されたものであり、遊技球Ｐは中央球通路５５内に入口５６からも進入する。この中央球通路５５の下端部には出口５７が形成されている。この出口５７は左右方向の幅寸法が遊技球Ｐの直径寸法の２倍以上の値に設定されたものであり、中央球通路５５内に連絡口４８から進入した遊技球Ｐと連絡口５２から進入した遊技球Ｐと入口５６から進入した遊技球Ｐのそれぞれは出口５７から脱出する。この出口５７は蓋４２の左転動路５３および右転動路５４の双方の真上に配置されており、出口５７から脱出した遊技球Ｐは蓋４２の左誘導板４３および右誘導板４４のいずれにも落下することなく左転動路５３または右転動路５４に落下し、左転動路５３から左誘導板４３に供給または右転動路５４から右誘導板４４に供給される。
【００３１】
遊技盤１８には、図５に示すように、特別入賞口３１の左方に位置して左ガイド部材５８が固定されている。この左ガイド部材５８は遊技盤１８の前面に対して前方へ突出するものであり、左ガイド部材５８および特別入賞口３１相互間には遊技球Ｐが詰まることなく落下可能な大きさの隙間が確保され、左ガイド部材５８および蓋４２相互間にも蓋４２の下降位置および上昇位置のそれぞれで遊技球Ｐが詰まることなく落下可能な大きさの隙間が確保されている。
【００３２】
左ガイド部材５８は遊技球Ｐに比べて軟質な合成樹脂からなるものであり、図６に示すように、左球受け部５９と左球誘導部６０と左球遮蔽部６１を有している。左球受け部５９は左球通路４５の出口４７から左誘導板４３に落下することで跳ねた遊技球Ｐを蓋４２の下降位置で受け止めることなく上昇位置で受け止めるものであり、垂直な板状をなしている。左球誘導部６０は左球受け部５９が受け止めた遊技球Ｐが落下するものであり、左から右へ向けて下降傾斜する傾斜面を有している。この左球誘導部６０の傾斜面は特別入賞口３１の入口３２に向けて延びるものであり、蓋４２の上昇位置で左球通路４５の出口４７から蓋４２の左誘導板４３に落下した遊技球Ｐは左ガイド部材５８の左球受け部５９から左球誘導部６０の傾斜面に落下し、左球誘導部６０の傾斜面に沿って左から右へ転動することで特別入賞口３１の入口３２に予め決められた確率ＸＬ（＞０）で入賞する。これに対して蓋４２の上昇位置で中央球通路５５の出口５７から蓋４２の左転動路５３に落下した遊技球Ｐは左転動路５３から左誘導板４３に供給され、左誘導板４３に沿って右から左へ転動した後に蓋４２および左ガイド部材５８相互間の隙間を通って落下することで特別入賞口３１の入口３２に入賞しない。左球遮蔽部６１は遊技球Ｐが左誘導板４３から左球受け部５９に供給される以外の経路で左球誘導部６０に供給されることを防止するものであり、左球誘導部６０に上方から対向する庇状をなしている。
【００３３】
遊技盤１８には、図５に示すように、特別入賞口３１の右方に位置して右ガイド部材６２が固定されている。この右ガイド部材６２は遊技盤１８の前面に対して前方へ突出するものであり、右ガイド部材６２および特別入賞口３１相互間には遊技球Ｐが詰まることなく落下可能な大きさの隙間が確保され、右ガイド部材６２および蓋４２相互間にも蓋４２の下降位置および上昇位置のそれぞれで遊技球Ｐが詰まることなく落下可能な大きさの隙間が確保されている。
【００３４】
右ガイド部材６２は遊技球Ｐに比べて軟質な合成樹脂からなるものであり、図６に示すように、右球受け部６３と右球誘導部６４と右球遮蔽部６５を有している。右球受け部６３は右球通路４９の出口５１から右誘導板４４に落下することで跳ねた遊技球Ｐを蓋４２の下降位置で受け止めることなく上昇位置で受け止めるものであり、垂直な板状をなしている。右球誘導部６４は右球受け部６３が受け止めた遊技球Ｐが落下するものであり、右から左へ向けて下降傾斜する傾斜面を有している。この右球誘導部６４の傾斜面は特別入賞口３１の入口３２に向けて延びるものであり、蓋４２の上昇位置で右球通路４９の出口５１から蓋４２の右誘導板４４に落下した遊技球Ｐは右ガイド部材６２の右球受け部６３から右球誘導部６４の傾斜面に落下し、右球誘導部６４の傾斜面に沿って右から左へ転動することで特別入賞口３１の入口３２に予め決められた確率ＸＲ（＞０）で入賞する。これに対して蓋４２の上昇位置で中央球通路５５の出口５７から蓋４２の右転動路５４に落下した遊技球Ｐは右転動路５４から右誘導板４４に供給され、右誘導板４４に沿って左から右へ転動した後に蓋４２および右ガイド部材６２相互間の隙間を通って落下することで特別入賞口３１の入口３２に入賞しない。右球遮蔽部６５は遊技球Ｐが右誘導板４４から右球受け部６３に供給される以外の経路で右球誘導部６４に供給されることを防止するものであり、右球誘導部６４に上方から対向する庇状をなしている。
【００３５】
特別入賞口ソレノイド４０は、図４に示すように、メイン制御回路２７に電気的に接続されており、メイン制御回路２７は遊技球が始動口２５に入賞することで大当りであると判定した場合に大当り遊技を行う。この大当り遊技は複数回の大当りラウンドからなるものであり、初回の大当りラウンドは図柄表示器２９に装飾図柄が大当りの組合せで停止表示された場合に開始される。これら複数回の大当りラウンドのそれぞれは特別入賞口ソレノイド４０を電気的なオフ状態からオン状態に切換えることで特別入賞口３１の入口３２を開放状態にするものであり、特別入賞口３１の開放時間が予め決められた限度時間に到達または特別入賞口３１内に予め決められた限度個数の遊技球Ｐが入賞した場合に終了する。このメイン制御回路２７には特別入賞口センサ３６が電気的に接続されており、メイン制御回路２７は複数回の大当りラウンドのそれぞれで特別入賞口センサ３６からの特別入賞信号を計数することで特別入賞口３１内に限度個数の遊技球Ｐが入賞したか否かを判断する。
【００３６】
内枠２には、図２に示すように、賞球タンク６５および賞球ケース６６が固定されている。賞球タンク６５は遊技球を貯留するものであり、上面が開口する容器状をなしている。賞球ケース６６は上下方向へ指向する通路状をなすものであり、賞球ケース６６の上端部は賞球タンク６５内に接続されている。この賞球ケース６６は賞球タンク６５から遊技球Ｐが上端部を通して供給されるものであり、賞球ケース６６内には賞球払出装置が固定されている。この賞球払出装置は払出モータ６７（図４参照）を駆動源として賞球ケース６６内の遊技球を賞球ケース６６の下端部から落下させるものである。この賞球ケース６６の下端部は内枠２の払出口９に接続されており、賞球ケース６６の下端部から落下した遊技球は払出口９を通って上皿８内に賞品として払出される。
【００３７】
図４の払出制御回路６８はマイクロコンピュータを主体に構成されたものであり、メイン制御回路２７は始動口センサ２６からの始動信号を検出した場合および特別入賞口センサ３６からの特別入賞信号を検出した場合のそれぞれに賞球コマンドを払出制御回路６８に送信する。この払出制御回路６８はメイン制御回路２７から賞球コマンドが送信されたか否かを判断するものであり、メイン制御回路２７から賞球コマンドが送信されたと判断した場合には賞球払出装置の払出モータ６７を駆動することで上皿８内に遊技球を賞品として払出す。
【００３８】
上記実施例１によれば次の効果を奏する。
遊技球Ｐが蓋４２の上昇位置で左球通路４５の出口４７から左誘導板４３に落下した場合には左誘導板４３から左ガイド部材５８に与えられ、遊技球Ｐが左ガイド部材５８に与えられた場合には左ガイド部材５８から特別入賞口３１の入口３２に誘導される。このため、遊技球Ｐが特別入賞口３１の入口３２に屈曲した入賞経路で入賞するようになるので、遊技者が遊技球Ｐの挙動を目で追う場合の趣興性が高まる。この効果は右誘導板４４についても同一である。
【００３９】
遊技球Ｐが蓋４２の下降位置で左誘導板４３に与えられた場合には左誘導板４３から左ガイド部材５８に与えられない。このため、遊技球Ｐが大当り遊技の停止状態で左誘導板４３から左ガイド部材５８を通して特別入賞口３１の入口３２に誘導されることがなくなるので、遊技球Ｐが特別入賞口３１に頻繁に衝突することで特別入賞口３１が変形または破損することが防止される。この効果は右誘導板４４についても同一である。
【００４０】
遊技球Ｐが左球通路４５の出口４７から左誘導板４３に与えられた場合には特別入賞口３１の入口３２に入賞し、遊技球Ｐが左球通路４５の連絡口４８および中央球通路５５の出口５７を順に通って左転動路５３から左誘導板４３に与えられた場合には特別入賞口３１の入口３２に入賞しないので、遊技球Ｐが左球通路４５の出口４７および連絡口４８のいずれから脱出するかを遊技者が目で追う趣興性ができる。この効果は右球通路４９についても同一である。
【００４１】
遊技球Ｐが左球通路４５の出口４７から蓋４２の左誘導板４３に垂直な一定の経路で落下する。このため、左誘導板４３の傾斜角度および左球誘導路６０の傾斜角度のそれぞれを設計的に調整することで遊技球Ｐが左球通路４５の出口４７から蓋４２の左誘導板４３および左ガイド部材５８のそれぞれを順に経由した場合の遊技球Ｐの特別入賞口３１に対する入賞確率を目標値に正確に設定できる。しかも、遊技者が遊技球Ｐを左球通路４５の入口４６を狙って発射することで特別入賞口３１の入口３２に入賞させることができるので、遊技球Ｐの特別入賞口３１に対する入賞経路が屈曲しているにも拘らず遊技者が大当り遊技中に遊技球Ｐを発射する場合の発射位置を戸惑うことなく調整できる。この効果は右球通路４９についても同一である。
【実施例２】
【００４２】
遊技盤１８には、図８および図９に示すように、特別入賞口３１に換えて特別入賞口７１が固定されている。この特別入賞口７１は前面が開口する横長な箱状をなすものであり、左板と右板と底板と天板と後板を有している。この特別入賞口７１は前面が遊技盤１８の前面と同一の平面上に位置するように遊技盤１８の貫通孔内に固定されたものであり、特別入賞口７１の前面を入口７２と称する。
【００４３】
遊技盤１８には、図８および図９に示すように、誘導板７３が固定されている。この誘導板７３は特別入賞口７１の入口７２の下面に沿って左右方向へ指向するものであり、遊技盤１８の前面に対して前方へ突出している。この誘導板７３には蓋４２の上昇位置で左球通路４５の出口４７から蓋４２の左誘導板４３と左ガイド部材５８の左球受け部５９と左球誘導部６０を順に通って遊技球Ｐが供給され、右球通路４９の出口５１から蓋４２の右誘導板４４と右ガイド部材６２の右球受け部６３と右球誘導部６４を順に通って遊技球Ｐが供給されるものであり、蓋４２の上昇位置であっても中央球通路５５の出口５７から蓋４２の左転動路５３および左誘導板４３を順に通って遊技球Ｐが供給されず、中央球通路５５の出口５７から蓋４２の右転動路５４および右誘導板４４を順に通って遊技球Ｐが供給されない。
【００４４】
誘導板７３は、図８および図９に示すように、前から後に向けて下降する平板状をなすものであり、遊技球Ｐが誘導板７３に供給された場合には誘導板７３に沿って前から後  に転動することで特別入賞口７１の入口７２に進入する。この特別入賞口７１の前面（＝遊技盤１８の前面）および窓７の後面相互間には前枠５の閉鎖状態で遊技球Ｐの直径寸法に比べて小さな隙間しか形成されない。即ち、前枠５の閉鎖状態で蓋４２が下降位置に静止している場合には遊技球Ｐが特別入賞口７１の入口７２に前方から入賞することはできず、前枠５の閉鎖状態では蓋４２の上昇位置でのみ遊技球Ｐが特別入賞口７１の入口７２に入口７２の左方および右方のそれぞれから入賞可能になる。
【００４５】
特別入賞口７１の底板には、図８および図９に示すように、左傾斜面７４および右傾斜面７５が形成されている。左傾斜面７４は左から右に向けて下降傾斜するものであり、右傾斜面７５は右から左に向けて下降傾斜するものであり、左傾斜面７４および右傾斜面７５は特別入賞口７１の底板の左右方向の中央部で相互に交差している。この特別入賞口７１の後板には貫通孔状の出口７６が形成されており、特別入賞口７１内に入賞した遊技球Ｐは左傾斜面７４に沿って左から右へ転動または右傾斜面７５に沿って右から左へ転動した後に出口７６から排出される。この出口７６には排出通路の前端部が接続されている。この排出通路の後端部は遊技盤１８を厚さ方向に貫通して遊技盤１８の後方に突出しており、遊技球Ｐは出口７６から排出通路を通して遊技盤１８の後方に排出される。この排出通路内には特別入賞口センサ３６が固定されており、特別入賞口７１内に遊技球Ｐが入賞した場合には特別入賞口センサ３６が排出通路内で遊技球Ｐを検出して特別入賞信号を出力する。
【００４６】
上記実施例１〜２のそれぞれにおいては、左ガイド部材５８および右ガイド部材６２のそれぞれを複数の障害釘２４から構成しても良い。
上記実施例１〜２のそれぞれにおいては、左ガイド部材５８として蓋４２の上昇位置で左誘導板４３から供給された遊技球Ｐを特別入賞口３１の入口３２に向けて跳ねさせることで特別入賞口３１の入口３２に入賞させるものを用いても良い。
【００４７】
上記実施例１〜２のそれぞれにおいては、右ガイド部材６２として蓋４２の上昇位置で右誘導板４４から供給された遊技球Ｐを特別入賞口３１の入口３２に向けて跳ねさせることで特別入賞口３１の入口３２に入賞させるものを用いても良い。
【００４８】
上記実施例１および２のそれぞれにおいては、左ガイド部材５８および右ガイド部材６２のそれぞれを遊技盤１８に前後方向へ指向する軸を中心に第１の角度および第２の角度の範囲内で回転可能に装着しても良い。左ガイド部材５８の左球受け部５９は第１の角度および第２の角度のそれぞれで蓋４２の左誘導板４３で跳ねた遊技球Ｐを受けるものであり、左ガイド部材５８の左球誘導部６０は第１の角度で遊技球Ｐを特別入賞口３１の入口３２の左端部に誘導し、第２の角度で遊技球Ｐを特別入賞口３１の入口３２の左右方向の中央部に誘導する。右ガイド部材６２の右球受け部６３は第１の角度および第２の角度のそれぞれで蓋４２の右誘導板４４で跳ねた遊技球Ｐを受けるものであり、右ガイド部材６２の右球誘導部６４は第１の角度で遊技球Ｐを特別入賞口３１の入口３２の右端部に誘導し、第２の角度で遊技球Ｐを特別入賞口３１の入口３２の左右方向の中央部に誘導する。即ち、左ガイド部材５８および右ガイド部材６２のそれぞれの第２の角度では遊技球Ｐが第１の角度に比べて特別入賞口３１の入口３２に高い確率で入賞するように誘導される。この構成の場合には次の１）〜３）のいずれかで左ガイド部材５８および右ガイド部材６２のそれぞれの角度を調整すると良い。
１）左ガイド部材５８の軸および右ガイド部材６２の軸のそれぞれの後端部に遊技盤１８の後面に対して後方に突出する摘みを連結し、パチンコホール側が遊技盤１８の後方から左ガイド部材５８の摘みを操作することで左ガイド部材５８の角度を第１の角度および第２の角度の範囲内で調整し、遊技盤１８の後方から右ガイド部材６２の摘みを操作することで右ガイド部材６２の角度を第１の角度および第２の角度の範囲内で調する。
２）左ガイド部材５８の軸を遊技盤１８の後方で左モータの回転軸に連結し、右ガイド部材６２の軸を遊技盤１８の後方で右モータの回転軸に連結し、大当りカウンタの値が第１の大当り値と同一である場合にメイン制御回路２７が第１の大当りであると判定して左モータおよび右モータのそれぞれを駆動制御することで左ガイド部材５８および右ガイド部材６２のそれぞれを大当り遊技中に第１の角度に静止させ、大当りカウンタの値が第２の大当り値と同一である場合にメイン制御回路２７が第２の大当りであると判定して左モータおよび右モータのそれぞれを駆動制御することで左ガイド部材５８および右ガイド部材６２のそれぞれを大当り遊技中に第２の角度に静止させる。
３）左ガイド部材５８の軸を遊技盤１８の後方で左モータの回転軸に連結し、右ガイド部材６２の軸を遊技盤１８の後方で右モータの回転軸に連結し、左モータおよび右モータのそれぞれを電源が投入されてから遮断されるまで一定のパターンで継続的に運転することで左ガイド部材５８および右ガイド部材６２のそれぞれを第１の角度および第２の角度相互間で往復する一定パターンで回転操作する。
【００４９】
上記実施例１および２のそれぞれにおいては、左ガイド部材５８に左球受け部５９に換えて板ばね等の弾性部材を設け、右ガイド部材６２に右球受け部６３に換えて板ばね等の弾性部材を設けても良い。左ガイド部材５８の弾性部材は蓋４２の左誘導板４３で跳ねた遊技球Ｐを受けて左球誘導部６０に与えるものであり、遊技球Ｐを受けたときの衝撃力で弾性変形する。右ガイド部材６２の弾性部材は蓋４２の右誘導板４４で跳ねた遊技球Ｐを受けて右球誘導部６４に与えるものであり、遊技球Ｐを受けたときの衝撃力で弾性変形する。この構成の場合には両弾性部材のそれぞれに遊技者が視覚的に認識可能な装飾部材を固定し、両装飾部材のそれぞれを弾性部材が弾性変形することに応じて揺らすことから視覚的な趣向性を高めることが好ましい。
【００５０】
上記実施例１および２のそれぞれにおいては、左ガイド部材５８に左球誘導部６０に換えて板ばね等の弾性部材を設け、右ガイド部材６２に右球誘導部６４に換えて板ばね等の弾性部材を設けても良い。左ガイド部材５８の弾性部材は左球受け部５９から落下した遊技球Ｐを受けて特別入賞口３１の入口３２に誘導するものであり、遊技球Ｐを受けたときの衝撃力で弾性変形する。右ガイド部材６２の弾性部材は右球受け部６３から落下した遊技球Ｐを受けて特別入賞口３１の入口３２に誘導するものであり、遊技球Ｐを受けたときの衝撃力で弾性変形する。この構成の場合には両弾性部材のそれぞれに遊技者が視覚的に認識可能な装飾部材を固定し、両装飾部材のそれぞれを弾性部材が弾性変形することに応じて揺らすことから視覚的な趣向性を高めることが好ましい。
【実施例３】
【００５１】
蓋４２には、図１０に示すように、左誘導板４３に換えて左誘導路８１が形成されている。この左誘導路８１は遊技球Ｐに比べて軟質な合成樹脂からなるものであり、右から左へ向けて下降傾斜する傾斜面から構成されている。この左誘導路８１は左球通路４５の出口４７から落下した遊技球Ｐが直接的に供給され、中央球通路５５の出口５７から落下した遊技球Ｐが左転動路５３を右から左へ転動することで間接的に供給されるものであり、左誘導路８１に前者の直接経路で供給された遊技球Ｐは左誘導路８１に沿って右から左へ強い勢いで転動することで左誘導路８１から蓋４２の左方に落下し、左誘導路８１に後者の間接経路で供給された遊技球Ｐは左誘導路８１に沿って右から左へ弱い勢いで転動することで左誘導路８１から蓋４２の左方に落下する。
【００５２】
蓋４２には、図１０に示すように、右誘導板４４に換えて右誘導路８２が形成されている。この右誘導路８２は遊技球Ｐに比べて軟質な合成樹脂からなるものであり、左から右へ向けて下降傾斜する傾斜面から構成されている。この右誘導路８２は右球通路４９の出口５１から落下した遊技球Ｐが直接的に供給され、中央球通路５５の出口５７から落下した遊技球Ｐが右転動路５４を左から右へ転動することで間接的に供給されるものであり、右誘導路８２に前者の直接経路で供給された遊技球Ｐは右誘導路８２に沿って左から右へ強い勢いで転動することで右誘導路８２から蓋４２の右方に落下し、右誘導路８２に後者の間接経路で供給された遊技球Ｐは右誘導路８２に沿って左から右へ弱い勢いで転動することで右誘導路８２から蓋４２の右方に落下。
【００５３】
遊技盤１８には、図１０に示すように、左ガイド部材５８に換えて左ガイド部材８３が固定されている。この左ガイド部材８３は遊技盤１８の前面に対して前方へ突出するものであり、左ガイド部材８３および特別入賞口３１相互間には遊技球Ｐが詰まることなく落下可能な大きさの隙間が確保され、左ガイド部材８３および蓋４２相互間にも蓋４２の下降位置および上昇位置のそれぞれで遊技球Ｐが詰まることなく落下可能な大きさの隙間が確保されている。この左ガイド部材８３には、図１１に示すように、左入賞路８４が形成されている。この左入賞路８４は左誘導路８１に直接経路で供給された遊技球Ｐおよび間接経路で供給された遊技球Ｐのそれぞれが蓋４２の下降位置で落下することなく上昇位置で落下するものであり、左から右へ向けて下降傾斜する傾斜面から構成されている。この左入賞路８４は特別入賞口３１の入口３２に向けて延びるものであり、蓋４２の上昇位置では左誘導路８１に直接経路で供給された遊技球Ｐが左入賞路８４に沿って右から左へ強い勢いで転動することで特別入賞口３１の入口３２に予め決められた高確率ＸＬ１で入賞し、左誘導路８１に間接経路で供給された遊技球Ｐが左入賞路８４に沿って右から左へ弱い勢いで転動することで特別入賞口３１の入口３２に予め決められた低確率ＸＬ２（＜ＸＬ１）で入賞する。
【００５４】
遊技盤１８には、図１０に示すように、右ガイド部材６２に換えて右ガイド部材８５が固定されている。この右ガイド部材８５は遊技盤１８の前面に対して前方へ突出するものであり、右ガイド部材８５および特別入賞口３１相互間には遊技球Ｐが詰まることなく落下可能な大きさの隙間が確保され、右ガイド部材８５および蓋４２相互間にも蓋４２の下降位置および上昇位置のそれぞれで遊技球Ｐが詰まることなく落下可能な大きさの隙間が確保されている。この右ガイド部材８５には、図１１に示すように、右入賞路８６が形成されている。この右入賞路８６は右誘導路８２に直接経路で供給された遊技球Ｐおよび間接経路で供給された遊技球Ｐのそれぞれが蓋４２の下降位置で落下することなく上昇位置で落下するものであり、右から左へ向けて下降傾斜する傾斜面から構成されている。この右入賞路８６は特別入賞口３１の入口３２に向けて延びるものであり、蓋４２の上昇位置では右誘導路８２に直接経路で供給された遊技球Ｐが右入賞路８６に沿って左から右へ強い勢いで転動することで特別入賞口３１の入口３２に予め決められた高確率ＸＲ１で入賞し、右誘導路８２に間接経路で供給された遊技球Ｐが右入賞路８６に沿って左から右へ弱い勢いで転動することで特別入賞口３１の入口３２に予め決められた低確率ＸＲ２（＜ＸＲ１）で入賞する。
【００５５】
遊技盤１８には、図１１に示すように、左球遮蔽板８７および右遮蔽板８８が固定されている。これら左球遮蔽板８７および右遮蔽板８８のそれぞれは遊技盤１８の前面に対して前方へ突出するものであり、左球遮蔽板８７は左ガイド部材８３の左入賞路８４に上方から対向配置され、右球遮蔽板８８は右ガイド部材８５の右入賞路８６に上方から対向配置されている。この左球遮蔽板８７は遊技球Ｐが蓋４２の左誘導路８１以外の経路で左ガイド部材８３の左入賞路８４に供給されることを防止するものであり、右球遮蔽板８８は遊技球Ｐが蓋４２の右誘導路８２以外の経路で右ガイド部材８５の右入賞路８６に供給されることを防止するものであり、蓋４２の上昇位置では左誘導路８１を経由した遊技球Ｐおよび右誘導路８２を経由した遊技球Ｐの双方のみが特別入賞口３１の入口３２に入賞可能になる。
【００５６】
上記実施例３においては、特別入賞口３１に換えて特別入賞口７１を用いても良い。
上記実施例３においては、左ガイド部材８３および右ガイド部材８５のそれぞれを複数の障害釘２４から構成しても良い。
【００５７】
上記実施例３においては、左ガイド部材８３として蓋４２の上昇位置で左誘導路８１から供給された遊技球Ｐを特別入賞口３１の入口３２に向けて跳ねさせることで特別入賞口３１の入口３２に入賞させるものを用いても良い。
【００５８】
上記実施例３においては、右ガイド部材８５として蓋４２の上昇位置で右誘導路８２から供給された遊技球Ｐを特別入賞口３１の入口３２に向けて跳ねさせることで特別入賞口３１の入口３２に入賞させるものを用いても良い。
【００５９】
上記実施例３においては、左ガイド部材８３および右ガイド部材８５のそれぞれを遊技盤１８に前後方向へ指向する軸を中心に第１の角度および第２の角度の範囲内で回転可能に装着しても良い。左ガイド部材８３の左入賞路８４は第１の角度および第２の角度のそれぞれで蓋４２の左誘導路８１から落下する遊技球Ｐを受けるものであり、第１の角度で遊技球Ｐを特別入賞口３１の入口３２の左端部に誘導し、第２の角度で遊技球Ｐを特別入賞口３１の入口３２の左右方向の中央部に誘導する。右ガイド部材８５の右入賞路８６は第１の角度および第２の角度のそれぞれで蓋４２の右誘導路８２から落下する遊技球Ｐを受けるものであり、第１の角度で遊技球Ｐを特別入賞口３１の入口３２の右端部に誘導し、第２の角度で遊技球Ｐを特別入賞口３１の入口３２の左右方向の中央部に誘導する。即ち、左ガイド部材８３および右ガイド部材８５のそれぞれの第２の角度では遊技球Ｐが第１の角度に比べて特別入賞口３１の入口３２に高い確率で入賞するように誘導される。この構成の場合には次の１）〜３）のいずれかで左ガイド部材８３および右ガイド部材８５のそれぞれの角度を調整すると良い。
１）左ガイド部材８３の軸および右ガイド部材８５の軸のそれぞれの後端部に遊技盤１８の後面に対して後方に突出する摘みを連結し、パチンコホール側が遊技盤１８の後方から左ガイド部材８３の摘みを操作することで左ガイド部材８３の角度を第１の角度および第２の角度の範囲内で調整し、遊技盤１８の後方から右ガイド部材８５の摘みを操作することで右ガイド部材８５の角度を第１の角度および第２の角度の範囲内で調整する。
２）左ガイド部材８３の軸を遊技盤１８の後方で左モータの回転軸に連結し、右ガイド部材８５の軸を遊技盤１８の後方で右モータの回転軸に連結し、メイン制御回路２７が第１の大当りであると判定した場合に左モータおよび右モータのそれぞれを駆動制御することで左ガイド部材８３および右ガイド部材８５のそれぞれを大当り遊技中に第１の角度に静止させ、メイン制御回路２７が第２の大当りであると判定した場合に左モータおよび右モータのそれぞれを駆動制御することで左ガイド部材８３および右ガイド部材８５のそれぞれを大当り遊技中に第２の角度に静止させる。
３）左ガイド部材８３の軸を遊技盤１８の後方で左モータの回転軸に連結し、右ガイド部材８５の軸を遊技盤１８の後方で右モータの回転軸に連結し、左モータおよび右モータのそれぞれを電源が投入されてから遮断されるまで一定のパターンで継続的に運転することで左ガイド部材８３および右ガイド部材８５のそれぞれを第１の角度および第２の角度相互間で往復する一定パターンで回転操作する。
【００６０】
上記実施例３においては、左ガイド部材８３に左入賞路８４に換えて板ばね等の弾性部材を設け、右ガイド部材８５に右入賞路８６に換えて板ばね等の弾性部材を設けても良い。左ガイド部材８３の弾性部材は蓋４２の左誘導路８１から落下した遊技球Ｐを受けて特別入賞口３１の入口３２に誘導するものであり、蓋４２の左誘導路８１から遊技球Ｐが落下したときの衝撃力で弾性変形する。右ガイド部材８５の弾性部材は蓋４２の右誘導路８２から落下した遊技球Ｐを受けて特別入賞口３１の入口３２に誘導するものであり、蓋４２の右誘導路８２から遊技球Ｐが落下したときの衝撃力で弾性変形する。この構成の場合には両弾性部材のそれぞれに遊技者が視覚的に認識可能な装飾部材を固定し、両装飾部材のそれぞれを弾性部材が弾性変形することに応じて揺らすことから視覚的な趣向性を高めることが好ましい。
【００６１】
上記実施例１〜３のそれぞれにおいては、蓋４２を下降位置および上昇位置相互間で移動操作する駆動源としてモータを用いても良い。
上記実施例１〜３のそれぞれにおいては、本発明を始動口２５等の入賞口に適用しても良い。
【符号の説明】
【００６２】
Ｐは遊技球、１８は遊技盤、３１は特別入賞口（入球部材）、３２は入口、４０は特別入賞口ソレノイド（駆動源）、４２は蓋（蓋部材）、４３は左誘導板（傾斜部）、４４は右誘導板（傾斜部）、４５は左球通路（球通路）、４６は入口、４７は出口、４９は右球通路（球通路）、５０は入口、５１は出口、５８は左ガイド部材（誘導部材）、６２は右ガイド部材（誘導部材）、７１は特別入賞口（入球部材）、７２は入口、８１は左誘導路（傾斜部）、８２は右誘導路（傾斜部）、８３は左ガイド部材（誘導部材）、８５は右ガイド部材（誘導部材）である。
【図１】
2011245000.tif 000003
【図２】
2011245000.tif 000004
【図３】
2011245000.tif 000005
【図４】
2011245000.tif 000006
【図５】
2011245000.tif 000007
【図６】
2011245000.tif 000008
【図７】
2011245000.tif 000009
【図８】
2011245000.tif 000010
【図９】
2011245000.tif 000011
【図１０】
2011245000.tif 000012
【図１１】
2011245000.tif 000013